(57)【要約】【課題】  配線接続構成を簡素化した車両周辺監視装置を提供する。【解決手段】この車両周辺監視装置１は、自車両３に設置されて自車両周辺を撮像するカメラ５と、カメラ５の撮像画像を処理する画像処理装置７と、画像処理装置７により処理された撮像画像を表示する表示装置９とを備え、画像処理装置７は、カメラ５の撮像画像に基づき自車両３の走行状態を判定する判定部７ａと、判定部７ａの判定結果に基づき表示装置９の表示を制御する制御部７ｂとを備える。この様に自車両３（外部）の車載信号を用いないで自車両３の走行状態を判定することで、当該装置１と外部との間の配線接続構成を簡素化している。【選択図】図１
2007221200.tif 000002
【特許請求の範囲】
【請求項１】
自車両に設置されて自車両周辺を撮像するカメラと、
前記カメラの撮像画像を処理する画像処理手段と、
前記画像処理手段により処理された前記撮像画像を表示する表示手段とを備え、
前記画像処理手段は、
前記カメラの撮像画像に基づき自車両の走行状態を判定する判定手段と、
前記判定手段の判定結果に基づき前記表示手段の表示を制御する制御手段と、
を備えることを特徴とする車両周辺監視装置。
【請求項２】
前記判定手段は、前記撮像画像中の地面の動きに基づき自車両の走行状態を判定することを特徴とする請求項１に記載の車両周辺監視装置。
【請求項３】
前記制御手段は、前記判定手段が後退中または停車中と判定した場合に、前記カメラの撮像画像を拡大して前記表示手段に表示させることを特徴とする請求項１または請求項２に記載の車両周辺監視装置。
【請求項４】
前記カメラが自車両後方を撮像する場合において、
前記制御手段は、前記判定手段が前進中と判定した場合に、前記撮像画像中の自車両走行レーン部分のうち、少なくとも自車両から後方に所定距離離れた所までの部分上にマスク画像を重畳して、前記撮像画像を前記表示手段に表示させることを特徴とする請求項１または請求項２に記載の車両周辺監視装置。
【請求項５】
前記判定手段は、前記カメラの撮像画像中の地面の動きに基づき自車両の車速を検出し、
前記制御手段は、前記判定手段が検出した車速が所定速度を越える場合には、前記カメラの撮像画像を前記表示手段に表示させ、前記判定手段が検出した車速が所定速度を越えない場合には、前記カメラの撮像画像を前記表示手段に表示させないことを特徴とする請求項１〜請求項４の何れかに記載の車両周辺監視装置。
【請求項６】
前記カメラの撮像画像に基づき前記撮像画像中に障害物が存在するかを検知する検知手段と、
前記検知手段が障害物を検知した場合に、その旨を警告する警告手段と、
を更に備えることを特徴とする請求項１〜請求項５の何れかに記載の車両周辺監視装置。
【請求項７】
前記画像処理手段は、前記カメラと一体化されることを特徴とする請求項１〜請求項６の何れかに記載の車両周辺監視装置。
【請求項８】
前記カメラは自車両に複数設置され、
前記制御手段は、前記判定手段の判定結果に応じて、前記複数のカメラの撮像画像のうち前記表示手段に表示すべき撮像画像を選択することを特徴とする請求項１または請求項２に記載の車両周辺監視装置。
【発明の詳細な説明】
【技術分野】
【０００１】
本発明は、自車両に設置されたカメラにより自車両周辺を撮像し、その撮像画像を自車両に設置された表示手段に表示する車両周辺監視装置に関する。
【背景技術】
【０００２】
従来の車両周辺監視装置１００は、図１４の様に、車両周辺を撮像する車載カメラ１０５と、カメラ１０５の撮像画像を処理すると共に後述の表示装置１０９の表示を制御する画像処理装置１０７と、画像処理装置１０７により処理された撮像画像を表示する表示装置１０９とを備えており、画像処理装置１０７は、自車両の車両信号（例えば車速信号、シフト信号、舵角信号）に基づき自車両の走行状態を判定し、その判定結果に基づき表示装置１０９の表示を制御している。
【発明の開示】
【発明が解決しようとする課題】
【０００３】
従来の車両周辺監視装置１００では、カメラ１０５からの画像信号の他に、車両信号を画像処理装置１０７に入力する必要があるので、当該車両周辺監視装置１００の構成（例えば装置１００と外部との配線接続構成）が複雑になるという欠点があった。
【０００４】
そこで、この発明の課題は、配線接続構成を簡素化した車両周辺監視装置を提供することにある。
【課題を解決するための手段】
【０００５】
上記課題を解決する為に、請求項１に記載の発明は、自車両に設置されて自車両周辺を撮像するカメラと、前記カメラの撮像画像を処理する画像処理手段と、前記画像処理手段により処理された前記撮像画像を表示する表示手段とを備え、前記画像処理手段は、前記カメラの撮像画像に基づき自車両の走行状態を判定する判定手段と、前記判定手段の判定結果に基づき前記表示手段の表示を制御する制御手段と、を備えるものである。
【０００６】
請求項２に記載の発明は、前記判定手段は、前記撮像画像中の地面の動きに基づき自車両の走行状態を判定するものである。
【０００７】
請求項３に記載の発明は、前記制御手段は、前記判定手段が後退中または停車中と判定した場合に、前記カメラの撮像画像を拡大して前記表示手段に表示させるものである。
【０００８】
請求項４に記載の発明は、前記カメラが自車両後方を撮像する場合において、前記制御手段は、前記判定手段が前進中と判定した場合に、前記カメラの撮像画像中の自車両走行レーン部分のうち、少なくとも自車両から後方に所定距離離れた所までの部分上にマスク画像を重畳して、前記撮像画像を前記表示手段に表示させるものである。
【０００９】
請求項５に記載の発明は、前記判定手段は、前記カメラの撮像画像中の地面の動きに基づき自車両の車速を検出し、前記制御手段は、前記判定手段が検出した車速が所定速度を越える場合には、前記カメラの撮像画像を前記表示手段に表示させ、前記判定手段が検出した車速が所定速度を越えない場合には、前記カメラの撮像画像を前記表示手段に表示させないものである。
【００１０】
請求項６に記載の発明は、前記カメラの撮像画像に基づき前記撮像画像中に障害物が存在するかを検知する検知手段と、前記検知手段が障害物を検知した場合に、その旨を警告する警告手段と、を更に備えるものである。
【００１１】
請求項７に記載の発明は、前記画像処理手段は、前記カメラと一体化されるものである。
【００１２】
請求項８に記載の発明は、前記カメラは自車両に複数設置され、前記制御手段は、前記判定手段の判定結果に応じて、前記複数のカメラの撮像画像のうち前記表示手段に表示すべき撮像画像を選択するものである。
【発明の効果】
【００１３】
請求項１に記載の発明によれば、カメラの撮像画像に基づき自車両の走行状態を判定し、その判定結果に基づき表示手段の表示を制御するので、即ち車両信号を用いないので、当該装置と外部との配線接続構成を簡素化できる。
【００１４】
請求項２に記載の発明によれば、撮像画像中の地面の動きに基づき自車両の走行状態を判定するので、撮像画像に映る背景に依らずに自車両の走行状態を判定できる。
【００１５】
請求項３に記載の発明によれば、自車両の後退中または停車中と判定された場合に、カメラの撮像画像を拡大して表示手段に表示するので、自車両の後退中または停車中の様な撮像画像を拡大表示すべき場合に適切に撮像画像を拡大して表示できる。
【００１６】
請求項４に記載の発明によれば、カメラの撮像画像中の自車両走行レーン部分のうち、少なくとも自車両から後方に所定距離離れた所までの部分上にマスク画像を重畳して前記撮像画像（以後、前進用画像とよぶ）を表示手段に表示するので、前記マスク画像により自車両と自車両の真後方向の接近車両および左右レーンを走る接近車両との配置関係が視覚的に把握し易くなる。また、自車両の前進中と判定された場合に前記前進用画像を表示するので、前進中以外の不要な場合に前記前進用画像が表示されることを防止できる。
【００１７】
請求項５に記載の発明によれば、車速が所定速度を越える場合だけカメラの撮像画像を表示手段に表示させるので、所定速度を越える場合の様に表示手段を用いた後方確認の必要性が高い場合だけカメラの撮像画像を表示手段に表示できる。
【００１８】
請求項６に記載の発明によれば、カメラの撮像画像に基づき撮像画像中に障害物が存在するかを検知するので、即ち車両信号を用いずに障害物検知を行うので、当該装置と外部との配線接続構成を簡素化して障害物を検知できる。また、障害物を検知した場合に、その旨を、警告音を発して又は／および表示手段に表示された前記撮像画像上に警告マークを重畳表示して警告するので、適切に障害物の存在を警告できる。
【００１９】
請求項７に記載の発明によれば、画像処理手段はカメラと一体化されるので、自車両内において画像処理手段の配置場所を確保する必要が無くなると共に、カメラと表示手段とを配線接続するだけで当該車両周辺監視装置を組み立てる事ができるので、当該装置を構成する各構成装置間の配線接続構成を簡素化できる。
【００２０】
請求項８に記載の発明によれば、判定手段の判定結果（即ち自車両の走行状態）に応じて複数のカメラの撮像画像のうち表示手段に表示すべき撮像画像が選択されるので、カメラが複数設置された場合でも、自車両の走行状態に応じて適切なカメラの撮像画像を表示できる。
【発明を実施するための最良の形態】
【００２１】
＜実施の形態＞
この実施の形態に係る車両周辺監視装置１は、図１および図２の様に、自車両３に設置され自車両周辺を撮像するカメラ（ここでは広視野角（例えば水平画角１７０度前後）のカメラ）５と、カメラ５の撮像画像を画像処理する画像処理装置（画像処理手段）７と、自車両３に設置され画像処理装置７で処理された撮像画像を表示する表示装置（表示手段）９とを備える。
【００２２】
カメラ５は、例えば図２の様に、自車両３の後部に設置され自車両後方を撮像する。尚、図２の符号５ｓはカメラ５の撮像範囲の一例である。
【００２３】
尚、ここではカメラ５は、自車両３の後部に設置されて自車両後方を撮像するが、その様に限定されるものではなく、例えば自車両３の前部に設置されて自車両前方を撮像する様にしてもよい。
【００２４】
画像処理装置７は、カメラ５の撮像画像に基づき自車両３の走行状態を判定する判定部７ａと、判定部７ａの判定結果に基づき表示装置９の表示を制御する制御部７ｂと、カメラ５の撮像画像に基づきその撮像画像中に障害物が存在するかを検知する検知部７ｃと、検知部７ｃが障害物を検知した場合に、その旨を運転者に警告する警告部７ｄとを備える。
【００２５】
判定部７ａは、撮像画像に映る地面の動きに基づき、自車両３の走行状態として、例えば停車中か前進中か又は後退中かを判定すると共に自車両３の車速も判定する。
【００２６】
より詳細には、停車中か前進中か又は後退中かの判定方法としては、図３および図４の様に、撮像画像Ｇに映った地面ｇ上の所定箇所上の識別物ｓ（例えば地面ｇ上の物体または地面ｇの表面の凹凸模様など）に着目し、その識別物ｓが撮像画像Ｇ上で上方に移動する場合（図３）は前進中と判定し、他方、その識別物ｓが撮像画像Ｇ上で下方に移動する場合（図４）は後退中と判定し、他方、その識別物ｓが撮像画像Ｇ上を移動しない場合または前進中か後退中か不明な場合は停車中と判定する。尚、図３および図４中の符号３ａは自車両３の一部である。また、車速の判定方法としては、所定時間内におけるその識別物ｓの画像Ｇ上での移動量を測定してその識別物ｓの移動速度を判定し、その移動速度に基づき自車両３の車速を判定する。
【００２７】
制御部７ｂは、判定部７ａの判定結果に応じて、表示装置９の表示をオンオフ制御する共に、カメラ５の撮像画像を例えば停車用、後退用または前進用の画像に加工して表示装置９に表示させる。
【００２８】
より詳細には、制御部７ｂは、判定部７ａが後退中または停車中と判定した場合は、表示装置９の表示をオン制御すると共に、図５および図６の様に、カメラ５の撮像画像Ｇを拡大して（即ち、広視野角（水平画角１７０度）の撮像画像Ｇのうち通常視野角（即ち広視野角でない一般的なカメラと同程度の視野角：例えば水平画角１２０度〜１３０度）Ｇ１分を切り出し、それを表示サイズに拡大して）、その拡大画像Ｇ２を後退用画像または停車用画像として表示装置９に表示させる。
【００２９】
この様に、広視野角の撮像画像Ｇを通常視野角の画像Ｇ２に拡大して表示することで、運転者の視認性（画像中の景色の大きさに関する部分）に対する違和感を低減できる。
【００３０】
尚、カメラ５の設置位置が低い場合は、更に、撮像画像を高所からの視点（例えば高所から真下に見下ろした視点）に視点変換して表示してもよい。
【００３１】
また、制御部７ｂは、判定部７ａが前進中と判定し且つその際の自車両３の車速が所定速度（例えば中高速度：例えば６０ｋｍ／ｈ）を越えると判定した場合は、表示装置９の表示をオン制御すると共に、図７および図８の様に、カメラ５の撮像画像Ｇ（図７）中の自車両走行レーン部分のうち、自車両３から後方に所定距離離れた所までの部分およびその部分に対応する上空部分にそれぞれマスク画像ｍ１，ｍ２（図８）を重畳し、それらマスク画像ｍ１，ｍ２を重畳したその撮像画像Ｇ（以後Ｇ３と呼ぶ）を、広視野角のまま前進用画像として表示装置９に表示させる。尚、マスク画像ｍ２は別に無くても構わない。
【００３２】
この様にマスク画像ｍ１，ｍ２を重畳することで、自車両３と後続車両ｋ１，ｋ２との距離感が把握し易くなると共に自車両３の左右のレーンを認識し易くなる。即ち、左右のレーンに後続車が存在するか否かや、左右レーンを走る後続車ｋ２がどの程度自車両３に接近しているかが感覚的に把握し易くなる。
【００３３】
他方、制御部７ｂは、判定部７ａが前進中と判定してもその際の自車両３の車速が前記所定速度を越えない（例えば低速度）と判定した場合は、表示装置９の表示をオフ制御する。
【００３４】
即ち、ここでは、所定速度（中高速）を越える走行中の自車両３の車線変更の際の後方確認用として撮像画像Ｇ３を表示するので、所定速度を超える場合の様に表示装置９を用いた後方確認の必要性の高い場合だけ表示装置９に撮像画像を表示する様にしている。尚、車速に依らずに前進中は常に撮像画像Ｇ３を後方確認用として表示しても構わない。
【００３５】
検知部７ｃは、カメラ５の撮像画像に障害物検知処理（例えばモーションディテクト処理）を施して、例えば動きのあるもの（例えば自車両３に対して相対的に動きのあるのもの）を障害物と見なして障害物を検知する。
【００３６】
尚、カメラ３の現時点付近の異なる２時点の撮像画像およびそれら２時点間の自車両の移動量（この移動量は、判定部７ａで測定される識別物ｓの移動量から求める事ができる。）に基づき、撮像画像に映る各物体と自車両との間の距離を測定する周知の測距技術を用いて、自車両３から所定距離以内に存在する物体を障害物として検知してもよい。この場合は、自車両３に対して相対的に静止している物体も障害物として検出できる。
【００３７】
警告部７ｄは、検知部７ｃが障害物を検知した場合は、その旨を、警告音を発して又は／および表示装置９に表示された撮像画像上に警告マークを重畳表示して警告する。
【００３８】
より詳細には、警告マークを重畳表示する場合は、表示装置９に表示された撮像画像上に当該障害物が映っている場合は、例えばその障害物の映込箇所にその障害物の存在を強調する警告マークを重畳してもよい。また、図９の様に撮像画像Ｇの画像部分Ｇ１を切り出して拡大し、図１０の様にその拡大画像Ｇ２を表示する場合において、撮像画像Ｇの切り出されない部分（例えば撮像画像の左端）Ｇ４に当該障害物Ｐが映り、拡大画像Ｇ２に当該障害物Ｐが映らない場合は、その拡大画像Ｇ２の所定箇所（当該障害物Ｐが撮像画像Ｇの左端に映っている場合は例えば左端）に、当該障害物Ｐがどちらの方向から接近して来るかを示したマーク（例えば左側を向いた矢印マーク）ｍ３を警告マークとして重畳してもよい。
【００３９】
次に図１１に基づきこの車両周辺監視装置１の動作を説明する。尚、カメラ５は常時作動しているものとする。
【００４０】
ステップＳ１で、判定部７ａにより、上述の様にカメラ５の撮像画像に基づき自車両３の走行状態の判定が行われる。そしてステップＳ２で、その判定の結果、後退中と判定された場合は、ステップＳ３に進み、制御部７ｂにより、表示装置９の表示がオン制御されると共に、カメラ５の撮像画像Ｇが上述の様に後退用画像（拡大画像）Ｇ２に加工されて表示装置９に表示される。尚、この場合（後退中と判定された場合）は、検知部７ｃにより障害物検知は行われない。そしてステップＳ１に戻る。
【００４１】
他方、ステップＳ２で、前進中と判定された場合は、ステップＳ４に進み、判定部７ａにより、上述の様にカメラ５の撮像画像に基づき自車両３の車速が判定される。そしてステップＳ５で、その判定の結果、自車両３の車速が所定速度（例えば６０ｋｍ／ｈ）を越えない場合は、ステップＳ６に進み、制御部７ｂにより表示装置９の表示がオフ制御されて、表示装置９にカメラ５の撮像画像は表示されない。そしてステップＳ１に戻る。
【００４２】
他方、ステップＳ５で、自車両３の車速が所定速度（例えば６０ｋｍ／ｈ）を越えると判定された場合は、ステップＳ７に進み、制御部７ｂにより、表示装置９の表示がオン制御されると共に、カメラ５の撮像画像Ｇが上述の様に前進用画像Ｇ３（即ち撮像画像Ｇにマスク画像ｍ１，ｍ２が重畳されたもの）に加工されて表示装置９に表示される。
【００４３】
そしてステップＳ８に進み、検知部７ｃにより、上述の様にカメラ５の撮像画像Ｇに基づき撮像画像Ｇ中に障害物が存在するかが検知される。そしてステップＳ９で、その検知の結果、障害物が検知されない場合は、ステップＳ１に戻り、他方、障害物が検知された場合は、ステップＳ１０に進み、警告部７ｄにより、上述の様にその旨が警告音が発されて又は／および表示装置９に表示された撮像画像Ｇ３上に警告マークが重畳表示されて警告される。そしてステップＳ１に戻る。
【００４４】
尚、ステップＳ７（即ち前進中）で表示装置９に表示される撮像画像Ｇ３は、自車両３の車線変更の際の後方確認用として（即ち左右レーンに自車両３の所定距離内に接近する後続車が存在するか否かを確認するために）表示されるので、ステップＳ８の障害物検知では、撮像画像Ｇ中の自車両後方を走行する後続車ｋ１（図７）は障害物から除外して、左右レーンを走る後続車（例えばｋ２（図７））だけを障害物の対象として障害物検知してもよい。
【００４５】
他方、ステップＳ２で、停車中と判定された場合は、ステップＳ１１に進み、制御部７ｂにより、表示装置９の表示がオン制御されると共にカメラ５の撮像画像Ｇが上述の様に停車用画像（拡大画像）Ｇ２に加工されて表示装置９に表示される。
【００４６】
そしてステップＳ１２に進み、検知部７ｃにより、上述の様にカメラ５の撮像画像に基づき撮像画像中に障害物が存在するかが検知される。そしてステップＳ１３で、その検知の結果、障害物が検知されない場合は、ステップＳ１に戻り、他方、障害物が検知された場合は、ステップＳ１４に進み、警告部７ｄにより、上述の様にその旨が警告音が発されて又は／および表示装置９に表示された撮像画像上に警告マークが重畳表示されて警告される。そしてステップＳ１に戻る。
【００４７】
尚、ステップＳ１１（即ち停車中）で表示装置９に表示される撮像画像Ｇ２は、自車両３の発進の際の周辺確認用として表示されるので、ステップＳ１２の障害物検知では、自車両３に接近するものだけを障害物の対象として障害物検知してもよい。
【００４８】
以上の様に構成された車両周辺監視装置１によれば、カメラ５の撮像画像に基づき自車両３の走行状態を判定し、その判定結果に基づき表示装置９の表示を制御するので、即ち車両信号を用いないので、当該装置１と外部との配線接続構成を簡素化できる。
【００４９】
また、撮像画像中の地面の動きに基づき自車両３の走行状態を判定するので、撮像画像に映る背景に依らずに自車両３の走行状態を判定できる。
【００５０】
また、自車両３の後退中または停車中と判定された場合に、カメラ５の撮像画像を拡大して表示装置９に表示するので、自車両３の後退中または停車中の様な撮像画像を拡大表示すべき場合に適切に撮像画像を拡大して表示できる。
【００５１】
また、カメラ５の撮像画像Ｇ中の自車両３走行レーン部分のうち、少なくとも自車両３から後方に所定距離離れた所までの部分上にマスク画像ｍ１（ここでは更にその部分に対応する上空部分上にマスク画像ｍ２）を重畳して前記撮像画像Ｇ（以後、前進用画像Ｇ３とよぶ）を表示装置９に表示するので、マスク画像ｍ１，ｍ２により自車両３と自車両３の真後方向の接近車両および左右レーンを走る接近車両との配置関係が視覚的に把握し易くできる。
【００５２】
また、自車両３の前進中と判定された場合に前進用画像Ｇ３を表示するので、前進中以外の不要な場合に前進用画像Ｇ３が表示されることを防止できる。
【００５３】
また、自車両３の車速が所定速度（例えば６０ｋｍ／ｈ）を越える場合だけカメラ５の撮像画像Ｇ３を表示装置９に表示させるので、所定速度を越える場合の様に表示装置９を用いた後方確認の必要性が高い場合だけカメラ５の撮像画像を表示装置９に表示できる。
【００５４】
また、カメラ５の撮像画像に基づき撮像画像中に障害物が存在するかを検知するので、即ち車両信号を用いずに障害物検知を行うので、当該装置１と外部との配線接続構成を簡素化して障害物を検知できる。また、障害物を検知した場合に、その旨を、警告音を発して又は表示装置９に表示された撮像画像上に警告マークを重畳表示して警告するので、適切に障害物の存在を警告できる。
【００５５】
尚、この実施の形態では、自車両３の走行状態として前進中か後退中か停車中かしか判定しなかったが、それ以外に、自車両３が左に曲がったかや右に曲がったかなども判定してもよい。
【００５６】
＜変形例１＞
上記の実施の形態では、カメラ５と画像処置装置７とを別体として構成したが、例えば図１２の様に、画像処置装置７をカメラ５内に内蔵してカメラ５と画像処置装置７とを一体化してもよい。
【００５７】
図１２では、カメラ５は、透過窓５ａを有するケース５ｂと、透過窓５ａの後方に収容配置された撮像素子５ｃと、撮像素子５ｃの後方に収容配置され、撮像素子５ｃの撮像画像に所要の信号処理を施す映像回路５ｄとを備えて構成されており、映像回路５ｄの後方に画像処理装置７が収容配置される様にして、画像処理装置７がカメラ５内に内蔵されている。そして画像処理装置７は、映像回路５ｄにより信号処理された撮像画像に対して上記の画像処理を行っている。
【００５８】
また図１２では、カメラ５と表示装置９とは、カメラ５から表示装置９に電源を供給するための電源線１３と、カメラ５からの撮像画像（即ち画像処理装置７により画像処理された撮像画像）を表示装置９に出力するための映像線１５のみで接続されている。ここでは、画像処理装置７の制御部７ｂが表示装置９の電源供給をオンオフ制御することで、表示装置９の表示をオンオフ制御する。
【００５９】
この様にすれば、画像処理装置７はカメラ５と一体化されるので、自車両３内において画像処理装置７の配置場所を確保する必要が無くなると共に、カメラ５と表示装置９とを配線接続するだけで当該車両周辺監視装置１を組み立てる事ができるので、当該装置１の各構成装置内の配線接続構成を簡素化できる。
【００６０】
＜変形例２＞
上記の実施の形態では、カメラを１つだけ設置したが、自車両の各部（前部、後部、ドアミラなどの側部など）にカメラを複数設置してもよい。そしてカメラを複数設置した場合は、自車両の走行状態に応じて各カメラの撮像画像を選択的に表示装置に表示する様にしてもよい。
【００６１】
図１３は、カメラを２つ設置した場合の車両周辺監視装置の構成概略図である。以下、上記の実施の形態と異なる部分だけ説明する。
【００６２】
この車両周辺監視装置１Ｂでは、カメラ５Ｆは、自車両３の前部に設置されて自車両前方を撮像し、カメラ５Ｒは、自車両３の後部に設置されて自車両前方を撮像する。
【００６３】
また、この実施の形態の制御部７ｅは、判定部７ａの判定結果に応じて複数のカメラ５Ｆ，５Ｒの撮像画像のうち表示装置９に表示すべき撮像画像を選択するほか、上記の実施の形態の様に判定部７ａの判定結果に基づき表示装置９の表示を制御する。
【００６４】
ここでは例えば、制御部７ｅは、判定部７ａが前進中と判定した場合は、前方カメラ５Ｆの撮像画像を選択し、その選択した撮像画像を拡大して表示装置９に表示させ、他方、判定部７ａが後退中と判定した場合は、後方カメラ５Ｒの撮像画像を選択し、その選択した撮像画像に対して上記の実施の形態と同じ処理（ステップＳ３）を行い、他方、判定部７ａが停車中と判定した場合は、後方カメラ５Ｒの撮像画像を選択し、その選択した撮像画像に対して上記の実施の形態と同じ処理（ステップＳ１１〜Ｓ１３）を行う。尚、撮像画像を表示する場合に撮像画像を拡大するか否かや、障害物検知を行うか否かは、設計上の都合に合わせて適宜決定すればよい。
【００６５】
以上の様に構成された車両周辺監視装置１Ｂによれば、上記の実施の形態と同様の効果が得られる他に、判定部７ａの判定結果（即ち自車両３の走行状態）に応じて複数のカメラ５Ｆ，５Ｒの撮像画像のうち表示装置９に表示すべき撮像画像が選択されるので、カメラが複数設置された場合でも、自車両３の走行状態に応じて適切なカメラの撮像画像を表示できる。
【図面の簡単な説明】
【００６６】
【図１】本発明の実施の形態に係る車両周辺監視装置の構成概略図である。
【図２】カメラの設置位置の一例を説明する図である。
【図３】自車両の前進中の撮像画像に映った地面の様子の一例を示した図である。
【図４】自車両の後退中の撮像画像に映った地面の様子の一例を示した図である。
【図５】撮像画像の一例図である。
【図６】拡大画像の一例図である。
【図７】撮像画像の一例図である。
【図８】撮像画像にマスク画像ｍ１，ｍ２を重畳した場合の一例図である。
【図９】像画像の切り出されない部分に障害物が映った場合の撮像画像の一例図である。
【図１０】表示画像に障害物が映っていない場合の警告マークの一例図である。
【図１１】この実施の形態に係る車両周辺監視装置の動作を説明するフローチャートである。
【図１２】カメラと画像処理装置とを一体化した場合のカメラの構成概略図である。
【図１３】変形例に係る車両周辺監視装置の構成概略図である。
【図１４】従来の車両周辺監視装置の構成概略図である。
【符号の説明】
【００６７】
１  車両周辺監視装置
３  自車両
５  カメラ
５ａ  透過窓
５ｂ  ケース
５ｃ  撮像素子
５ｄ  映像回路
７  画像処理装置
７ａ  判定部
７ｂ  制御部
７ｃ  検知部
７ｄ  警告部
９  表示装置
１３  電源線
１５  映像線
【図１】
2007221200.tif 000003
【図２】
2007221200.tif 000004
【図３】
2007221200.tif 000005
【図４】
2007221200.tif 000006
【図５】
2007221200.tif 000007
【図６】
2007221200.tif 000008
【図７】
2007221200.tif 000009
【図８】
2007221200.tif 000010
【図９】
2007221200.tif 000011
【図１０】
2007221200.tif 000012
【図１１】
2007221200.tif 000013
【図１２】
2007221200.tif 000014
【図１３】
2007221200.tif 000015
【図１４】
2007221200.tif 000016